(57)【要約】【課題】列車の運行計画の運用変更などの運転整理の指示が容易に行える列車運行予測装置の提供。【解決手段】列車運行予測装置は、運行状況受信部１と、予測ダイヤデータ作成部２と、予測路線図データ作成部３と、表示データ作成部４と、表示処理部５と、位置指定部６とからなる。位置指定部６からの位置指定が無い場合、表示処理部５が表示データ作成部４で作成した予測ダイヤ画面用表示データをダイヤスジ形式の予測ダイヤ画面１７としてディスプレイ１４の表示画面１５に表示させる。位置指定部６からの位置指定が有る場合、表示処理部５が表示データ作成部４で作成した予測路線図画面用表示データを路線図形式の予測路線図画面１９としてディスプレイ１４の表示画面１５に表示させる。【選択図】        図１
2004230958.tif 000002
【特許請求の範囲】
【請求項１】
信号設備情報及び列車運行情報を受信し、その受信した前記信号設備情報及び前記列車運行情報を信号設備データ及び列車運行データとして信号設備データ格納部及び列車運行データ格納部に格納すると共に、列車運行の実績ダイヤデータを実績ダイヤデータ格納部に格納する運行状況受信部と、前記列車運行データと予め実施ダイヤデータ格納部に登録してある列車の運行計画の実施ダイヤデータとを基に、現在時刻以降の列車の運行を予測したダイヤスジ形式の予測ダイヤデータを作成し、その作成した前記予測ダイヤデータを予測ダイヤデータ格納部に格納する予測ダイヤデータ作成部と、前記予測ダイヤデータと予め設備条件情報格納部に設定されている路線固有の信号設備条件情報とから、路線図形式の予測路線図データを作成し、その作成した前記予測路線図データを予測路線図データ格納部に格納する予測路線図データ作成部と、前記信号設備データ，前記列車運行データ，前記実施ダイヤデータ，前記予測ダイヤデータ，前記信号設備条件情報，前記実績ダイヤデータ及び前記予測路線図データから、予測ダイヤ画面用表示データ及び予測路線図画面用表示データを作成する表示データ作成部と、前記表示データ作成部が作成した前記予測ダイヤ画面用表示データ及び前記予測路線図画面用表示データを実際に前記ダイヤスジ形式及び前記路線図形式でディスプレイの表示画面に表示させる表示処理部と、ポインティングデバイスにより指定された前記ディスプレイのダイヤスジ形式の予測ダイヤ画面上の任意の点から時刻及び路線上の位置を求める位置指定部とからなる列車運行予測装置であって、
前記表示処理部は、前記位置指定部からの位置指定が無い場合、前記予測ダイヤ画面用表示データのみを前記ダイヤスジ形式の予測ダイヤ画面として前記ディスプレイの表示画面に表示させ、さらに、前記表示処理部は、前記位置指定部からの位置指定が有る場合、前記位置指定部が求めた前記時刻及び前記路線上の位置に該当する列車の運行予測の前記予測路線図画面用表示データを前記路線図形式の予測路線図画面として前記ディスプレイの表示画面に表示させることを特徴とする特徴とする列車運行予測装置。
【請求項２】
上記表示処理部は、上記位置指定部からの位置指定が有る場合、前記位置指定部が求めた時刻及び路線上の位置に該当する列車の運行予測の上記予測路線図画面用表示データを上記路線図形式の予測路線図画面として上記ディスプレイの表示画面に上記ダイヤスジ形式の予測ダイヤ画面と対比させて表示させることを特徴とする請求項１に記載の列車運行予測装置。
【発明の詳細な説明】
【０００１】
【発明の属する技術分野】
本発明は、列車の運行を制御及び監視する列車運行予測装置に関し、特に、現在時刻以降の列車の運行状況を予測表示するようにした列車運行予測装置に関するものである。
【０００２】
【従来の技術】
列車の運行を司る指令員は、ダイヤスジ形式の画面で、実施ダイヤからの列車の遅れを発見し、路線図形式の画面で、列車の位置や他の列車との相互位置関係を把握し、列車の運行計画（実施ダイヤ）の運用変更などの運転整理を行わなければならない。
【０００３】
従来の特許文献１に開示された列車運転整理システムでは、ダイヤスジ形式でのみ列車の運行予測の画面を表示手段に表示していた。
【０００４】
【特許文献１】
特開平５−２７０４０６号公報
【０００５】
【発明が解決しようとする課題】
ところが、上記特許文献１では、ある列車が運行計画（実施ダイヤ）からどれ位遅れているか（遅れそうか）は判断できても、列車の運行の変更を行う上で、最も重要である路線上での列車の位置や他の列車との相互位置関係が把握できないため、指令員は、ダイヤスジ形式の運行予測の予測ダイヤ画面から列車の位置や他の列車との相互位置関係などを頭の中でイメージしなければならなかった。
【０００６】
本発明の目的は、上述した課題に対処して、現在時刻以降の列車の運行予測を、列車の運行計画からの遅れを把握できるダイヤスジ形式の予測ダイヤ画面だけでなく、列車の相互位置関係や路線全体の運行状況を把握できる路線図形式の予測路線図画面をダイヤスジ形式の予測ダイヤ画面と対比させてディスプレイの表示画面に表示させることにより、指令員がディスプレイの表示画面に表示された路線図形式の予測路線図画面を見るのみで、列車の相互位置関係や路線上の設備状況を視覚的に確認し、列車の運行計画の運用変更などの運転整理の指示を容易に行うことが可能な列車運行予測装置を提供することにある。
【０００７】
【課題を解決するための手段】
本発明の列車運行予測装置は、列車運行情報及び信号設備情報を受信し、その受信した前記列車運行情報及び前記信号設備情報を列車運行データ及び信号設備データとして列車運行データ格納部及び信号設備データ格納部に格納すると共に、列車運行の実績の実績ダイヤデータを実績ダイヤデータ格納部に格納する運行状況受信部と、前記列車運行データと予め実施ダイヤデータ格納部に登録してある列車の運行計画の実施ダイヤデータとを基に、現在時刻以降の列車の運行を予測したダイヤスジ形式の予測ダイヤデータを作成し、その作成した前記予測ダイヤデータを予測ダイヤデータ格納部に格納する予測ダイヤデータ作成部と、前記予測ダイヤデータと予め設備条件情報格納部に設定されている路線固有の信号設備条件情報とから、路線図形式の予測路線図データを作成し、その作成した前記予測路線図データを予測路線図データ格納部に格納する予測路線図データ作成部と、前記信号設備データ，前記列車運行データ，前記実施ダイヤデータ，前記予測ダイヤデータ，前記信号設備条件情報，前記実績ダイヤデータ及び前記予測路線図データから、予測ダイヤ画面用表示データ及び予測路線図画面用表示データを作成する表示データ作成部と、前記表示データ作成部が作成した前記予測ダイヤ画面用表示データ及び前記予測路線図画面用表示データを実際に前記ダイヤスジ形式及び前記路線図形式でディスプレイの表示画面に表示させる表示処理部と、ポインティングデバイスにより指定された前記ディスプレイのダイヤスジ形式の予測ダイヤ画面上の任意の点から時刻及び路線上の位置を求める位置指定部とからなる列車運行予測装置であって、前記表示処理部が、前記位置指定部からの位置指定が無い場合、前記予測ダイヤ画面用表示データのみを前記ダイヤスジ形式の予測ダイヤ画面として前記ディスプレイの表示画面に表示させ、さらに、前記表示処理部が、前記位置指定部からの位置指定が有る場合、前記位置指定部が求めた前記時刻及び前記路線上の位置に該当する列車の運行予測の前記予測路線図画面用表示データを前記路線図形式の予測路線図画面として前記ディスプレイの表示画面に表示させることを特徴とする構成を有するものである。
【０００８】
本発明の列車運行予測装置は、上記表示処理部が、上記位置指定部からの位置指定が有る場合、前記位置指定部が求めた時刻及び路線上の位置に該当する列車の運行予測の上記予測路線図画面用表示データを上記路線図形式の予測路線図画面として上記ディスプレイの表示画面に上記ダイヤスジ形式の予測ダイヤ画面と対比させて表示させるようにすると良い。
【０００９】
本発明は、表示処理部が表示データ作成部で作成した予測ダイヤ画面用表示データをダイヤスジ形式の予測ダイヤ画面としてディスプレイの表示画面に表示させると共に、ディスプレイの表示画面に表示されたダイヤスジ形式の予測ダイヤ画面上の任意の点をポインティングデバイスで指定することにより、表示処理部が、その指定された時刻及び路線上の位置に該当する列車の運行予測の予測路線図画面用表示データを路線図形式の予測路線図画面としてディスプレイの表示画面に表示させる。
【００１０】
【発明の実施の形態】
以下、本発明の実施の形態について、図面を参照して詳細に説明する。
図１は、本発明の一実施形態に係る列車運行予測装置の全体構成を示す機能ブロック図である。
本発明の列車運行予測装置は、信号設備情報及び列車運行情報を受信し、その受信した信号設備情報及び列車運行情報を信号設備データ及び列車運行データとして信号設備データ格納部７及び列車運行データ格納部８に格納すると共に、列車運行の実績の実績ダイヤデータを実績ダイヤデータ格納部９に格納する運行状況受信部１と、列車運行データと予め実施ダイヤデータ格納部１０に登録してある列車の運行計画の実施ダイヤデータとを基に、現在時刻以降の列車の運行を予測したダイヤスジ形式の予測ダイヤデータを作成し、その作成した予測ダイヤデータを予測ダイヤデータ格納部１１に格納する予測ダイヤデータ作成部２と、予測ダイヤデータと予め設備条件情報格納部１２に設定されている路線固有の信号設備条件情報とから、路線図形式の予測路線図データを作成し、その作成した予測路線図データを予測路線図データ格納部１３に格納する予測路線図データ作成部３と、信号設備データ，列車運行データ，実施ダイヤデータ，予測ダイヤデータ，信号設備条件情報，実績ダイヤデータ及び予測路線図データから、予測ダイヤ画面用表示データ及び予測路線図画面用表示データを作成する表示データ作成部４と、表示データ作成部４が作成した予測ダイヤ画面用表示データ及び予測路線図画面用表示データを実際にダイヤスジ形式及び路線図形式でディスプレイ１４の表示画面１５に表示させる表示処理部５と、ポインティングデバイス１６により指定されたディスプレイ１４のダイヤスジ形式の予測ダイヤ画面１７上の任意の点１８から時刻及び路線上の位置を求める位置指定部６とからなる。
【００１１】
本発明の列車運行予測装置は、表示処理部５が、位置指定部６からの位置指定が無い場合、予測ダイヤ画面用表示データのみをダイヤスジ形式の予測ダイヤ画面１７としてディスプレイ１４の表示画面１５に表示させ、さらに、表示処理部５が、位置指定部６からの位置指定が有る場合、位置指定部６が求めた時刻及び路線上の位置に該当する列車の運行予測の予測路線図画面用表示データを路線図形式の予測路線図画面１９としてディスプレイ１４の表示画面１５に表示させるようになっている。
【００１２】
本発明の列車運行予測装置は、表示処理部５が、位置指定部６からの位置指定が有る場合、位置指定部６が求めた時刻及び路線上の位置に該当する列車の運行予測の予測路線図画面用表示データを路線図形式の予測路線図画面１９としてディスプレイ１４の表示画面１５にダイヤスジ形式の予測ダイヤ画面１７と対比させて表示させるようになっている。
【００１３】
図１は、本発明の列車運行予測装置の全体構成と本発明の列車運行予測装置により表示されるダイヤスジ形式の予測ダイヤ画面及び路線図形式の予測路線図画面のイメージを示している。
本実施形態の列車運行予測装置は、図１に示すように、運行状況受信部１と、予測ダイヤデータ作成部２と、予測路線図データ作成部３と、表示データ作成部４と、表示処理部５と、位置指定部６と、信号設備データ格納部７と、列車運行データ格納部８と、実績ダイヤデータ格納部９と、実施ダイヤデータ格納部１０と、予測ダイヤデータ格納部１１と、設備条件情報格納部１２と、予測路線図データ格納部１３と、ディスプレイ１４と、マウスなどのポインティングデバイス１６とから構成されている。
【００１４】
列車は、あらかじめ計画された実施ダイヤに従って運行される。
しかし、実際の列車の運行（実績）は、乗客数や天候などにより当初の計画とは異なったものとなる。
この時、列車の運行を司る指令員は、ディスプレイ１４の表示画面１５から得られる列車の運行状況より、当初の計画より遅れて運行している列車を発見し、原因分析や路線全体の運行状況も考慮して列車の運行計画（実施ダイヤ）の運用変更などの運転整理を行わなければならない。
【００１５】
運行状況受信部１は、信号設備情報及び列車運行情報を受信し、受信した信号設備情報及び列車運行情報を信号設備データ及び列車運行データとして信号設備データ格納部７及び列車運行データ格納部８に格納すると共に、列車の各駅の実績データを編集した実績ダイヤデータを実績ダイヤデータ格納部９に格納するものである。
【００１６】
予測ダイヤデータ作成部２は、列車の運行状態が判る列車運行データと予め実施ダイヤデータ格納部１０に格納されている列車の運行計画の実施ダイヤデータとを基に、現在時刻以降の列車の運行を予測したダイヤスジ形式の予測ダイヤデータを作成し、作成した予測ダイヤデータを予測ダイヤデータ格納部１１に格納するものである。
【００１７】
予測路線図データ作成部３は、予測ダイヤデータと列車が路線上を走行するための予め設備条件情報格納部１２に格納されている制約条件である路線固有の信号設備条件情報とから、路線図形式の予測路線図データを作成し、作成した予測路線図データを予測路線図データ格納部１３に格納するものである。
【００１８】
表示データ作成部４は、信号設備データ，列車運行データ，実施ダイヤデータ，予測ダイヤデータ，信号設備条件情報，実績ダイヤデータ及び予測路線図データから、予測ダイヤ画面用表示データ及び予測路線図画面用表示データを作成するものである。
【００１９】
表示処理部５は、表示データ作成部４で作成された予測ダイヤ画面用表示データ及び予測路線図画面用表示データを基に実際にダイヤスジ形式及び路線図形式でディスプレイ１４の表示画面１５にデータの表示を行うものである。
【００２０】
位置指定部６は、ポインティングデバイス１６のポインタ２０により指定されたディスプレイ１４のダイヤスジ形式の予測ダイヤ画面１７上の列車スジ２１の任意の点１８を選択された情報から時刻及び路線上の位置を求め、求めた時刻及び路線上の位置の情報を表示データ作成部４に送信するものである。
【００２１】
表示データ作成部４は、位置指定部６からポインティングデバイス１６のポインタ２０により指定された時刻及び路線上の位置の情報を送信された場合、当該時刻と路線上の位置に対応した予測路線図データから予測路線図画面用表示データを作成する。
【００２２】
表示処理部５は、位置指定部６からの位置指定が無い場合、予測ダイヤ画面用表示データのみをダイヤスジ形式の予測ダイヤ画面１７としてディスプレイ１４の表示画面１５に表示させる。
さらに、表示処理部５は、位置指定部６からの位置指定が有る場合、位置指定部６が求めた時刻及び路線上の位置に該当する列車の運行予測の予測路線図画面用表示データを路線図形式の予測路線図画面１９としてディスプレイ１４の表示画面１５にダイヤスジ形式の予測ダイヤ画面１７と対比させて表示させる。
【００２３】
信号設備データ格納部７には、運行状況受信部１で受信した信号設備の状態のデータが格納されている。
【００２４】
列車運行データ格納部８には、運行状況受信部１で受信した列車の現在位置を表す列車の運行データが格納されている。
【００２５】
実績ダイヤデータ格納部９には、列車の各駅における現在時刻までの着時刻及び発時刻の実績ダイヤデータが格納されている。
【００２６】
実施ダイヤデータ格納部１０には、既に設備条件などを考慮した列車の運行計画の実施ダイヤデータが格納されている。
【００２７】
予測ダイヤデータ格納部１１には、予測ダイヤデータ作成部２で作成された予測ダイヤデータが格納されている。
また、予測ダイヤデータ格納部１１には、全ての列車について現在時刻以降に路線上のどの場所に在線するかの情報が時系列的に格納されている。
【００２８】
設備条件情報格納部１２には、予め路線上の信号設備条件情報が格納されている。
【００２９】
予測路線図データ格納部１３には、予測路線図データ作成部３で作成された列車の路線上での位置及び信号機や転轍機の設備の状態などのデータが時系列的に格納されている。
【００３０】
ディスプレイ１４のダイヤスジ形式の予測ダイヤ画面１７には、図１に示すように、列車の運行の実績である実績ダイヤ（太線）及び現在時刻以降の列車の運行を予測した予測ダイヤ（細線）が表示されている。
また、ディスプレイ１４のダイヤスジ形式の予測ダイヤ画面１７において、横軸が時間の経過を示し、縦軸が列車の在線位置を示している。
【００３１】
ディスプレイ１４の路線図形式の予測路線図画面１９には、図１に示すように、ポインティングデバイス１６のポインタ２０で指定された列車Ｄの予測ダイヤの列車スジ２１の任意の点１８に該当する時刻及び路線上の位置や列車の在線位置及び信号機の状態が表示されている。
【００３２】
指令員は、通常、ディスプレイ１４の路線図形式の予測路線図画面１９で列車の位置や他の列車との相互位置関係を把握し、ディスプレイ１４のダイヤスジ形式の予測ダイヤ画面１７で運行計画の実施ダイヤからの列車の遅れを判断している。
【００３３】
図２は、本発明の列車運行予測装置における実施ダイヤデータのデータフォーマットの一例を示す図である。
実施ダイヤデータ２５には、図２に示すように、データの固有ＩＤである「データＮｏ．」、列車固有の番号である「運行番号」、列車の始発及び行先である「始発駅」、「行先駅」、列車の各駅の着時刻及び発時刻である「Ｘ駅発時刻」、「Ｙ駅着時刻」、「Ｙ駅発時刻」、「Ｚ駅着時刻」、列車の折返しの前のダイヤを示すデータＮｏ．である「前行程データＮｏ．」、列車の折返し後のダイヤを示すデータＮｏ．である「後行程データＮｏ．」が格納されている。
【００３４】
また、実施ダイヤデータ２６には、図２に示すように、データの固有ＩＤである「データＮｏ．」、列車固有の番号である「運行番号」、列車の始発及び行先である「始発駅」、「行先駅」、列車の各駅の着時刻及び発時刻である「Ｚ駅発時刻」、「Ｙ駅着時刻」、「Ｙ駅発時刻」、「Ｘ駅着時刻」、列車の折返しの前のダイヤを示すデータＮｏ．である「前行程データＮｏ．」、列車の折返し後のダイヤを示すデータＮｏ．である「後行程データＮｏ．」が格納されている。
【００３５】
図３は、本発明の列車運行予測装置における予測ダイヤデータのデータフォーマットの一例を示す図である。
予測ダイヤデータ２７には、図３に示すように、予測ダイヤ画面用固有ＩＤであり、実施ダイヤデータと同じＮｏ．である「データＮｏ．」、列車固有の番号である「運行番号」、列車の始発及び行先である「始発駅」、「行先駅」、列車の各駅の予測着時刻及び予測発時刻である「Ｘ駅予測発時刻」、「Ｙ駅予測着時刻」、「Ｙ駅予測発時刻」、「Ｚ駅予測着時刻」、列車の折返しの前のダイヤを示すデータＮｏ．である「前行程データＮｏ．」、列車の折返し後のダイヤを示すデータＮｏ．である「後行程データＮｏ．」、各軌道への列車の予測進入時刻と予測進出時刻などが格納されている。
【００３６】
図４は、本発明の列車運行予測装置における軌道に関する予測路線図データのデータフォーマットの一例を示す図である。
予測路線図データ２８には、図４に示すように、軌道毎の落下の予測時刻、扛上の予測時刻とそれに起因した列車の運行番号が格納されている。
【００３７】
図５は、本発明の列車運行予測装置における信号機に関する予測路線図データのデータフォーマットの一例を示す図である。
予測路線図データ２９には、図５に示すように、信号機の進行現示になる予測時刻及び信号機の停止現示になる予測時刻が格納されている。
【００３８】
本実施形態においては、列車運行の実績ダイヤ，予測ダイヤ及び予測路線図のディスプレイへの表示は、以下のように行われる。
図６は、本発明に係る列車運行予測装置におけるダイヤスジ形式の予測ダイヤ画面及び路線図形式の予測路線図画面表示処理時の流れを示すフローチャート図である。
今、図１に示すディスプレイ１４のダイヤスジ形式の予測ダイヤ画面１７で、現在時刻以降の列車の運行予測をした処、ポインティングデバイス１６のポインタ２０で示してある予測ダイヤの列車Ｄの列車スジ２１の点１８において、列車ＥのＸ駅からの出発遅れにより、列車ＤのＸ駅への到着が遅れるという予測される状況を想定する。
【００３９】
まず、運行状況受信部１が信号設備情報及び列車運行情報を受信し、受信した信号設備情報及び列車運行情報を信号設備データ及び列車運行データとして信号設備データ格納部７及び列車運行データ格納部８に格納し、列車の各駅の実績データを編集して実績ダイヤデータを作成し（ステップＳ１００）、作成した実績ダイヤデータを実績ダイヤデータ格納部９に格納する。
【００４０】
予測ダイヤデータ作成部２では、現在の列車の在線位置が判る列車運行データと、図２に示す実施ダイヤデータのデータフォーマットで規定された実施ダイヤデータ格納部１０に格納されている当該列車の運行計画の実施ダイヤデータとを基に、現在時刻以降の列車運行の予測を行い、予測ダイヤデータを作成し（ステップＳ１０１）、作成した予測ダイヤデータを予測ダイヤデータ格納部１１に格納する。
【００４１】
予測路線図データ作成部３では、予測ダイヤデータと路線固有の信号設備条件情報とから、当該列車の路線図上での位置及び信号機やや転轍機などの設備の状態の路線図形式の予測路線図データを作成し（ステップＳ１０２）、作成した予測路線図データを時系列的に予測路線図データ格納部１３に格納する。
【００４２】
位置指定部６では、ポインティングデバイス１６のポインタ２０によりディスプレイ１４のダイヤスジ形式の予測ダイヤ画面１７上のどの場所を指定されたか検知して位置検索し（ステップＳ１０３）、指定された場所から時刻及び路線上の位置を求め、求めた時刻及び路線上の位置の情報を表示データ作成部４に送信する。
【００４３】
表示データ作成部４は、位置指定部６からの位置指定の有無を判断する（ステップＳ１０４）。
【００４４】
表示データ作成部４では、位置指定部６からの位置指定が無い場合、信号設備データ，列車運行データ，実施ダイヤデータ，予測ダイヤデータ，信号設備条件情報及び実績ダイヤデータから、実際にディスプレイ１４の表示画面１５に表示させるための予測ダイヤ画面用表示データを作成し（ステップＳ１０５）、作成した予測ダイヤ画面用表示データを表示処理部５に送信する。
【００４５】
また、表示データ作成部４では、位置指定部６からの位置指定が有る場合、信号設備データ，列車運行データ，実施ダイヤデータ，予測ダイヤデータ，信号設備条件情報，実績ダイヤデータ及び予測路線図データから、実際にディスプレイ１４の表示画面１５に表示させるための予測ダイヤ画面用表示データ及び予測路線図画面用表示データを作成し（ステップＳ１０６）、作成した予測ダイヤ画面用表示データ及び予測路線図画面用表示データを表示処理部５に送信する。
【００４６】
表示処理部５では、表示データ作成部４で作成された予測ダイヤ画面用表示データを受信し、受信した予測ダイヤ画面用表示データのみをダイヤスジ形式の予測ダイヤ画面１７としてディスプレイ１４の表示画面１５に表示させる（ステップＳ１０７）。
【００４７】
また、表示処理部５では、表示データ作成部４で作成された予測ダイヤ画面用表示データ及び予測路線図画面用表示データを受信し、受信した予測ダイヤ画面用表示データ及び予測路線図画面用表示データをダイヤスジ形式の予測ダイヤ画面１７及び路線図形式の予測路線図画面１９としてディスプレイ１４の表示画面１５に対比させて表示させる（ステップＳ１０８）。
【００４８】
以上に説明したように、現在時刻以降の列車の運行予測をダイヤスジ形式の予測ダイヤ画面１７だけでなく、列車の相互位置関係や路線の設備情報が表示される路線図形式の予測路線図画面１９を対比させてディスプレイ１４の表示画面１５に表示させることにより、ダイヤスジ形式の予測ダイヤ画面１７からの情報と路線図形式の予測路線図画面１９からの情報との間の関連付けが速やかに且つ的確に行え、列車の運行計画（実施ダイヤ）の運用変更などの運転整理の指示が容易に行える。
【００４９】
【発明の効果】
以上に述べたように、本発明の列車運行予測装置によれば、現在時刻以降の列車の運行予測を、列車の運行計画からの遅れを把握できるダイヤスジ形式の予測ダイヤ画面だけでなく、列車の相互位置関係や路線全体の運行状況を把握できる路線図形式の予測路線図画面をダイヤスジ形式の予測ダイヤ画面と対比させてディスプレイの表示画面に表示させることにより、指令員がディスプレイの表示画面に表示された路線図形式の予測路線図画面を見るのみで、列車の相互位置関係や路線上の設備状況を視覚的に確認することができ、列車の運行計画の運用変更などの運転整理の指示が容易に行える効果が得られる。
【図面の簡単な説明】
【図１】本発明の一実施形態に係る列車運行予測装置の全体構成を示す機能ブロック図。
【図２】本発明の列車運行予測装置における実施ダイヤデータのデータフォーマットの一例を示す図。
【図３】本発明の列車運行予測装置における予測ダイヤデータのデータフォーマットの一例を示す図。
【図４】本発明の列車運行予測装置における軌道に関する予測路線図データのデータフォーマットの一例を示す図。
【図５】本発明の列車運行予測装置における信号機に関する予測路線図データのデータフォーマットの一例を示す図。
【図６】本発明に係る列車運行予測装置におけるダイヤスジ形式の予測ダイヤ画面及び路線図形式の予測路線図画面表示処理時の流れを示すフローチャート図。
【符号の説明】
１  運行状況受信部
２  予測ダイヤデータ作成部
３  予測路線図データ作成部
４  表示データ作成部
５  表示処理部
６  位置指定部
７  信号設備データ格納部
８  列車運行データ格納部
９  実績ダイヤデータ格納部
１０  実施ダイヤデータ格納部
１１  予測ダイヤデータ格納部
１２  設備条件情報格納部
１３  予測路線図データ格納部
１４  ディスプレイ
１５  表示画面
１６  ポインティングデバイス
１７  ダイヤスジ形式の予測ダイヤ画面
１８  点
１９  路線図形式の予測路線図画面
２０  ポインタ
２１  列車スジ
２５  実施ダイヤデータ
２６  実施ダイヤデータ
２７  予測ダイヤデータ
２８  予測路線図データ
２９  予測路線図データ
【図１】
2004230958.tif 000003
【図２】
2004230958.tif 000004
【図３】
2004230958.tif 000005
【図４】
2004230958.tif 000006
【図５】
2004230958.tif 000007
【図６】
2004230958.tif 000008